(57)【要約】【課題】リモコン装置の表示能力に限界がある場合でも、ユーザーによって選択された機能を的確に知らせることができるオーディオ装置を提供する。【解決手段】携帯機器本体１から音楽データを再生しヘッドホン２に出力する装置であり、操作部８または９の操作により、制御部６が記憶部４から再生する音楽データのサブセットを設定する。設定したサブセットに対応する音声をマイク７から記録し、音声ファイルとしてサブセットと対応付けて記憶部４に記憶する。操作部８、９により、サブセットを選択した際に対応する音声ファイルを再生し、ヘッドホン２に出力する。【選択図】図１
2005056491.tif 000002
【特許請求の範囲】
【請求項１】
音楽または音声を再生する装置であって、
再生する音楽または音声のサブセットを１以上任意に設定する手段と、
前記サブセットに対応する音声データを設定する手段と、
任意のサブセットを選択した際に対応する音声データを再生する手段とを備えたオーディオ装置。
【請求項２】
音楽または音声を再生する装置であって、
再生に関するモードを１以上任意に設定する手段と、
前記モードに対応する音声データを設定する手段と、
任意のモードを選択した際に対応する音声データを再生する手段とを備えたオーディオ装置。
【請求項３】
音楽または音声を再生する装置であって、
前記機器の動作に関するモードを１以上任意に設定する手段と、
前記モードに対応する音声データを設定する手段と、
任意のモードを選択した際に対応する音声データを再生する手段とを備えたオーディオ装置。
【発明の詳細な説明】
【技術分野】
【０００１】
本発明は、音楽もしくは音声を再生するオーディオ装置に関するものであり、特にその操作性に関するものである。
【背景技術】
【０００２】
音楽や音声（以下、単に音声と言う）を扱うオーディオ装置は、ＭＤ（ミニディスク）等の小径光ディスクやメモリカード等の記録媒体を用いることにより、携帯性に優れたものとなっている。このようなオーディオ装置で音楽や音声を聞く場合、装置本体をポケットやカバンに入れたままにし、ヘッドホンを装着し、それに付随するリモコン装置だけで機器を操作する使い方がよく行われる。この場合、リモコン装置は表示装置が付いていないか、付いていたとしても小型で表示能力に限界が有る場合が多い。
【０００３】
一方、携帯型の機器において、ユーザーに所定のメッセージを知らせることを目的とする装置も知られている。特許文献１は、携帯型のヘッドホンステレオに時計機能を設け、アラームメッセージを音声合成により出力するものである。
【０００４】
また、最近はメモリカードの記憶容量の増大や、ハードディスク搭載機器の登場などにより、非常に多くの曲や音声を記録できるようになった。これに伴い、単に順番に音楽を再生するだけでなく、予めユーザーが選んだ曲のリストに従って再生する機能や、ユーザーが指定した順に再生する機能が一般化してきている。
【特許文献１】特開平１１−３２６５６２号公報（段落００１２〜００１３）
【発明の開示】
【発明が解決しようとする課題】
【０００５】
しかし、従来の技術では、限られたメッセージを出力する程度なので、ユーザーが自由に設定した機能については、メッセージを出力することが出来なかった。
【０００６】
また、ユーザーが曲リストや再生順番を自由に選択や指定する機能をリモコン装置で実現する場合、装置の大きさの制約から、特定のボタンでの順送り等の限られた選択方法になる場合が多かった。さらに表示装置が存在しないか、存在しても表示能力の限界で有効な表示ができない場合が多かった。この様に、ユーザーの利便性を向上するための多機能化に相反して、ユーザーが所望の機能を選択すること、あるいはどの機能が選択されたのかを知ることは、容易ではなかった。
【０００７】
本発明は、上記のような問題点を解決するためになされたもので、リモコン装置の表示能力に限界がある場合でも、ユーザーによって選択された機能を的確に知らせることができるオーディオ装置を提供することを目的とする。
【課題を解決するための手段】
【０００８】
本発明は上記目的を達成するために、ユーザーが設定した機能の内容を説明する音声データを設定し記録し、機能の選択に合わせて、記録した音声データを再生することを特徴とする。
【発明の効果】
【０００９】
任意に設定可能な機能を的確に認知可能な音声データを自由に設定できるとともに、機能の選択状態を表示することなくユーザーに知らせることができる。また、音声合成処理などの特殊な機能を設ける必要もないので、ローコストでの実現が可能となる。
【発明を実施するための最良の形態】
【００１０】
本発明の第１の発明によるオーディオ装置は、音楽または音声を再生する装置であって、再生する音楽または音声のサブセットを１以上任意に設定する手段と、前記サブセットに対応する音声データを設定する手段と、任意のサブセットを選択した際に対応する音声データを再生する手段とを備えたものである。これにより、任意に設定したサブセットを選択する際に、音声データにより、その選択を知らせることができる。
【００１１】
また、第２の発明によるオーディオ装置は、音楽または音声を再生する装置であって、再生に関するモードを１以上任意に設定する手段と、前記モードに対応する音声データを設定する手段と、任意のモードを選択した際に対応する音声データを再生する手段とを備えたものである。これにより、任意に設定した再生に関するモードを選択する際に、音声データにより、その選択を知らせることができる。
【００１２】
また、第３の発明によるオーディオ装置は、音楽または音声を再生する装置であって、前記機器の動作に関するモードを１以上任意に設定する手段と、前記モードに対応する音声データを設定する手段と、任意のモードを選択した際に対応する音声データを再生する手段とを備えたものである。これにより、任意に設定した機器の動作に関するモードを選択する際に、音声データにより、その選択を知らせることができる。
【００１３】
以下、本発明の実施の形態について、図面を参照しながら説明する。
【００１４】
（実施の形態１）
図１は、本発明の実施の形態１によるオーディオ装置の構成を示すブロック図である。
【００１５】
図１において、１はオーディオ装置としての携帯機器本体であり、２は携帯機器本体１に接続されるヘッドホン、３は携帯機器本体１を操作するための遠隔操作部である。携帯機器本体１は、音声データを記憶する記憶部４、音声データの記録・再生のための処理などを行う信号処理部５、信号処理部５等の動作を制御する制御部６、マイク７、操作部８とを備える。また、遠隔操作部３は、操作部８と同様の操作を遠隔（あるいは、手元）で行うための操作部９と動作モードなどを手元に表示する表示部１０とを備える。なお、表示部１０は、携帯機器本体１にあってもよい。
【００１６】
まず、オーディオ装置としての再生動作を説明する。操作部８または９を操作し、制御部６を介して、記憶部４に記憶された音声データ（音楽ファイル）を指定し、記憶部４から読み出す。読み出された音楽データは、信号処理部５を介してヘッドホン２に出力される。ここで、記憶部４は、内蔵される半導体メモリ、着脱可能なメモリカード、光ディスク、ハードディスクなど、如何なる記録媒体であってもよい。
【００１７】
次に、図２に示すフローチャートに基づき、本発明の実施の形態によるオーディオ装置において、ユーザーインタフェースを向上させるための音声ファイルを設定する動作について説明する。
【００１８】
ユーザーは、操作部８または９を操作し、表示部１０を確認しながら、再生するデータを任意に組み合わせたプレイリストなどのサブセットを自由に設定する。この様に、サブセットが設定された状態で、図２の処理を開始する。
【００１９】
ステップ２０において、操作部８または９により、処理対象のサブセットを選択する。次に、ステップ２１において、選択したサブセットの内容を説明する音声を録音する。これは、マイク７、信号処理部５を介して記憶部４に音声ファイルとして記憶される。音声ファイルは、「ベストコレクション１」、「７月のお気に入り」など、サブセットを識別可能であれば、如何なる内容であっても自由に録音生成することができる。
【００２０】
ステップ２２において、制御部６は、記憶された音声ファイルと対応するサブセットを規定する対応テーブルを作成する。対応テーブルは、記憶部４に記憶される。
【００２１】
ステップ２３において、次のサブセットを選択する場合はステップ２０に戻り、選択しない場合は処理を終了する。
【００２２】
以上の処理を行うことで、図３に示すような対応テーブルが生成される。図３は、サブセット１，２，…，ｉ（ｉは自然数）に対して、音声ファイルＳ１，Ｓ２，…，Ｓｉが対応付けられる。
【００２３】
オーディオ装置を操作し、サブセットを選択する場合は、図４に示すフローチャートに示されるように処理される。
【００２４】
図４において、ユーザーは、遠隔操作部３により所望のサブセットを選択する（ステップ３０）。次に、ステップ３１において、制御部６は、図３に示した対応テーブルから選択されたサブセットに対する音声ファイルを再生するように制御する。ステップ３２において、ユーザーはヘッドホン３を聞きながら選択したサブセットが所望のものかどうかを判断する。選択したサブセットで良い場合は、所定の操作によりステップ３３に移り、異なるサブセットを選択する場合は、ステップ３０に戻る。
【００２５】
ステップ３３では、選択されたサブセットに基づく処理を行う。例えば、楽曲のプレイリストであれば、そのリストに基づいた音楽再生を実行する。
【００２６】
以上の様に本実施の形態によれば、サブセットに音声データを自由に対応付けることができ、これをサブセット選択時に再生することができるので、携帯性に優れた機器において、表示することなく、選択内容をユーザーに知らせることができる。
【００２７】
なお、上記説明において、サブセット用の音声ファイルと、楽曲等の音声データとを記憶部４に記憶するものとしたが、別々の記憶媒体に記憶させるように構成してもよい。
【００２８】
（実施の形態２）
次に、本発明の実施の形態２によるオーディオ装置について説明する。本実施の形態によるオーディオ装置の構成は、図１に示したものと同様である。
【００２９】
以下、図１〜図４に示した実施の形態１との相違点について説明する。
【００３０】
実施の形態１では、記録再生する音声ファイルがサブセットに関するものであるのに対して、本実施の形態は、再生モードに関するものである。ここで、再生モードとは、例えば音質の制御に関するモードであり、イコライザー特性、サラウンド特性、ノイズリダクションなどのモードである。ユーザーは、各種特性を選択設定し、自由に再生モードを設定することができる。
【００３１】
従って、図２のステップ２０の「サブセット選択」を「再生モード選択」、図３のステップ３０の「サブセット選択」を「再生モード選択」、ステップ３３の「選択されたサブセットに基づき処理」を「選択された再生モードに基づき処理」と読み替えることで、実施の形態１で説明した動作とほぼ同様となる。
【００３２】
即ち、図２において、選択された再生モードに対応した音声ファイルを記録し、図３において、選択された再生モードに対応した音声ファイルを再生することになる。この場合、作成および用いられる対応テーブルは、図５に示す通りであり、再生モード１，２，…，ｊ（ｊは自然数）に対応付けた音声ファイルＰ１，Ｐ２，…，Ｐｊのテーブルである。
【００３３】
以上の様に本実施の形態によれば、再生モードに音声データを自由に対応付けておくことができ、これを再生モード選択時に再生することができるので、携帯性に優れた機器において、表示することなく、選択内容をユーザーに知らせることができる。
【００３４】
（実施の形態３）
次に、本発明の実施の形態３によるオーディオ装置について説明する。本実施に形態によるオーディオ装置の構成は、図１に示したものと同様である。
【００３５】
以下、図１〜図４に示した実施の形態との相違点について説明する。
【００３６】
実施の形態１では、記録再生する音声ファイルがサブセットに関するものであるのに対して、本実施の形態は、動作モードに関するものである。ここで、動作モードとは、例えば携帯機器の動作の制御に関するモードであり、圧縮方式の変更や設定、圧縮率の変更や設定、ランダムプレイなどのモードである。ユーザーは、各種動作を選択・組み合わせる等して、自由に動作モードを設定することができる。
【００３７】
従って、図２のステップ２０の「サブセット選択」を「動作モード選択」、図３のステップ３０の「サブセット選択」を「動作モード選択」、ステップ３３の「選択されたサブセットに基づき処理」を「選択された動作モードに基づき処理」と読み替えることで、実施の形態１で説明した動作とほぼ同様となる。
【００３８】
即ち、図２において、選択された動作モードに対応した音声ファイルを記録し、図３において、選択された動作モードに対応した音声ファイルを再生することになる。この場合、作成および用いられる対応テーブルは、図６に示す通りであり、動作モード１，２，…，ｋ（ｋは自然数）に対応付けた音声ファイルＡ１，Ａ２，…，Ａｋのテーブルである。
【００３９】
以上の様に本実施の形態によれば、動作モードに音声データを自由に対応付けておくことができ、これを動作モード選択時に再生することができるので、携帯性に優れた機器において、表示することなく、選択内容をユーザーに知らせることができる。
【００４０】
なお、上記各実施の形態において、音声を録音することで、音声ファイルを生成するとしたが、予め録音し生成された音声ファイルを選択してもよい。
【００４１】
また、本発明は携帯機器に適用した場合について説明したが、家庭内で用いるオーディオ装置に適用することも可能である。この場合、ヘッドホンに変えて、スピーカーから音声を出力させる。この様にすることで、本体から離れて遠隔操作する場合に、本体の表示部を見ることなく、機能設定を行うことができる。
【産業上の利用可能性】
【００４２】
本発明のオーディオ装置は、任意に設定された機能を表示することなくユーザーに知らせることができるという効果を有し、携帯性あるいは遠隔操作性に優れたオーディオ装置等の操作性の向上に関して有用である。
【図面の簡単な説明】
【００４３】
【図１】本発明の実施の形態１〜３によるオーディオ装置の構成を示すブロック図
【図２】本発明の実施の形態１によるオーディオ装置の動作を示すフローチャート
【図３】同オーディオ装置の動作を示すフローチャート
【図４】同オーディオ装置における対応テーブルを示す概念図
【図５】本発明の実施の形態２によるオーディオ装置における対応テーブルを示す概念図
【図６】本発明の実施の形態２によるオーディオ装置における対応テーブルを示す概念図
【符号の説明】
【００４４】
１    携帯機器本体
２    ヘッドホン
３    遠隔操作部
４    記憶部
５    信号処理部
６    制御部
７    マイク
８，９    操作部
１０    表示部
【図１】
2005056491.tif 000003
【図２】
2005056491.tif 000004
【図３】
2005056491.tif 000005
【図４】
2005056491.tif 000006
【図５】
2005056491.tif 000007
【図６】
2005056491.tif 000008